(57)【要約】【課題】  保険点数情報の入力作業が判りやすく入力ミスが発生しにくい医事会計処理装置を提供することを目的とする。【解決手段】  診療内容に対応付けられた保険点数情報が記憶された点数マスタ９３と、これら保険点数情報をタッチパネル９１の画面９１ａ上に表示するとともに、画面９１ａ上に表示された複数の保険点数情報のうちの一つの保険点数情報が表示された部分に接触する接触操作に応じて、その部分に対応する保険点数情報を入力する情報表示入力部９２と、情報表示入力部９２により入力された保険点数情報に基づき会計処理を行う会計処理部９７とを有し、上記保険点数情報は、一般区分および老健区分の２つの保険区分に基づいて設定されたものであり、情報表示入力部９２は、保険点数情報を上記保険区分に応じてタッチパネル９１の画面９１ａ上に表示するように制御する表示制御部９２ａを備えた。【選択図】        図１
2005346445.tif 000002
【特許請求の範囲】
【請求項１】
診療内容に対応付けられた保険点数情報が複数記憶された点数マスタと、該点数マスタに記憶された複数の保険点数情報をタッチパネル上に表示するとともに、該タッチパネル上に表示された複数の保険点数情報のうちの一つの保険点数情報が表示された部分に接触する接触操作に応じて、該接触された部分に対応する保険点数情報を入力する情報表示入力部とを有し、該情報表示入力部により入力された保険点数情報に基づき会計処理を行う医事会計処理装置において、
前記保険点数情報は、医療保険制度による一般区分および老健区分の２つの保険区分に基づいて設定されたものであり、
前記情報表示入力部は、前記保険点数情報を、前記保険区分に応じて表示するように制御する表示制御部を備えたことを特徴とする医事会計処理装置。
【請求項２】
前記情報表示入力部は、前記複数の保険点数情報を前記タッチパネル上の所定の表示位置に表示するように指示する表示指示情報が記憶されたタッチパネルマスタを備え、
前記表示制御部は、前記表示指示情報に基づき前記タッチパネル上に表示される保険点数情報の表示の態様を前記保険区分に応じて制御するものであることを特徴とする請求項１記載の医事会計処理装置。
【請求項３】
前記表示制御部は、前記保険区分に応じて保険点数情報の表示／非表示を制御するものであることを特徴とする請求項２記載の医事会計処理装置。
【発明の詳細な説明】
【技術分野】
【０００１】
本発明は、病院や診療所における会計処理を行う医事会計処理装置に関する。
【背景技術】
【０００２】
従来、コンピュータシステムの入力装置の一つとしてタッチパネルが知られている。タッチパネルは、画面上に多数の情報を表示するとともに、その画面上の任意の部分をペン先または指先などで接触することにより、接触した部分に対応する操作をシステムに指示することができるので、定義済みの情報を画面上に表示し、その中から所望の情報を選択してシステムに読み込むタイプの入力装置として適しており、種々の方式のタッチパネルが開発され使用されている（例えば、特許文献１参照。）。
【０００３】
タッチパネルは、病院や診療所における医事会計処理の際の医療保険点数の入力装置としても好適であるため多くの病院や診療所において用いられている。
【特許文献１】特開平２−３１２１８号公報（第１−２頁、図１）
【発明の開示】
【発明が解決しようとする課題】
【０００４】
最近、医療保険制度の拡充に伴って保険点数情報は増加する一方であり、多数の診療科を有する大病院などの医事会計処理装置では大量の保険点数情報を管理する必要がある。この大量の保険点数情報の中から所望の保険点数情報を入力するためのタッチパネルはなるべく大きい画面のものが望ましいが、タッチパネルの画面の大きさにはおのずから制約があり、むやみに大画面のタッチパネルを要求するわけにはいかない。
【０００５】
そこで、大量の保険点数情報を１台のタッチパネルに表示するためには複数のページに分割して表示する必要があるが、ページ数が多くなると入力作業は煩雑でわかりにくくなり、入力ミスを招きやすいという問題がある。また、１つの保険点数情報を表示するセルの大きさを小さくし、１ぺージ当たりのセル数の多いタッチパネルとすることによりページ数を減少させるという方法も考えられるが、医事会計で取り扱う保険点数情報には同一の文字列を含む保険点数情報が多数存在するため、タッチパネル上に表示する文字数を極端に少なくするわけにはいかない。
【０００６】
本発明は、上記事情に鑑み、保険点数情報の入力作業が判りやすく入力ミスが発生しにくい医事会計処理装置を提供することを目的とする。
【課題を解決するための手段】
【０００７】
本発明の医事会計処理装置は、
診療内容に対応付けられた保険点数情報が複数記憶された点数マスタと、その点数マスタに記憶された複数の保険点数情報をタッチパネル上に表示するとともに、そのタッチパネル上に表示された複数の保険点数情報のうちの一つの保険点数情報が表示された部分に接触する接触操作に応じて、接触された部分に対応する保険点数情報を入力する情報表示入力部とを有し、情報表示入力部により入力された保険点数情報に基づき会計処理を行う医事会計処理装置において、
上記保険点数情報は、医療保険制度による一般区分および老健区分の２つの保険区分に基づいて設定されたものであり、
上記情報表示入力部は、上記保険点数情報を、上記保険区分に応じて表示するように制御する表示制御部を備えたことを特徴とする。
【０００８】
ここで、老健区分とは、老人保健法に基づく健康保険区分をいい、一般区分とは上記老健区分以外の健康保険区分をいう。
【０００９】
本発明の医事会計処理装置によれば、一般区分および老健区分の２つの保険区分に応じて保険点数情報をタッチパネル上に表示するように制御するので、対象患者の保険区分の保険点数情報のみを表示することにより、算定不可な保険点数情報が誤って入力されるのを未然に防止することができる。
【００１０】
ここで、上記情報表示入力部は、上記複数の保険点数情報を上記タッチパネル上の所定の表示位置に表示するように指示する表示指示情報が記憶されたタッチパネルマスタを備え、上記表示制御部は、上記表示指示情報に基づき上記タッチパネル上に表示される保険点数情報の表示の態様を上記保険区分に応じて制御するものであってもよい。
【００１１】
本発明の医事会計処理装置を上記のように構成した場合は、表示制御部が、タッチパネルマスタに記憶された表示指示情報に基づく保険点数情報のみが表示されるように制御するので、対象患者の保険区分以外の保険点数情報は表示されず入力作業は判りやすくなり、誤入力を防止することができる。
【００１２】
また、上記表示制御部は上記保険区分に応じて保険点数情報の表示／非表示を制御するものであってもよく、また、上記情報表示入力部は複数の表示色を有するタッチパネルを備え、上記表示制御部は上記保険区分に応じて保険点数情報の表示色を制御するものであってもよい。
【００１３】
本発明の医事会計処理装置を上記のように構成した場合は、タッチパネル上の表示が判りやすくなり、保険点数情報の誤入力を効果的に防止することができる。
【発明の効果】
【００１４】
本発明の医事会計処理装置によれば、タッチパネル上には対象患者の保険区分の保険点数情報のみが表示されるので、算定不可な保険点数情報が誤って入力されることが未然に防止される。
【００１５】
また、タッチパネル１ページ当たりの保険点数情報表示数が大幅に増えるのでページ数を減少させることができる。
【００１６】
また、患者別に必要十分な保険点数情報が表示されるので誤入力を大幅に減少させることができる。
【発明を実施するための最良の形態】
【００１７】
以下図面を参照して本発明の実施の形態を説明する。
【００１８】
先ず、本発明の医事会計処理装置の一実施形態について説明する。
【００１９】
図１は、本発明の医事会計処理装置の一実施形態を示す概略構成図である。
【００２０】
図１に示すように、この医事会計処理装置９０は、診療内容に対応付けられた保険点数情報が複数記憶された点数マスタ９３と、これら複数の保険点数情報をタッチパネル９１の画面９１ａ上に表示するとともに、画面９１ａ上に表示された複数の保険点数情報のうちの一つの保険点数情報が表示された部分に接触する接触操作に応じて、その接触された部分に対応する保険点数情報を入力する情報表示入力部９２と、情報表示入力部９２により入力された保険点数情報に基づき会計処理を行う会計処理部９７とを有する。
【００２１】
ここで、上記保険点数情報は、前述の一般区分および老健区分の２つの保険区分に基づいて設定されたものであり、情報表示入力部９２は、その保険点数情報を上記保険区分に応じてタッチパネル９１の画面９１ａ上に表示するように制御する表示制御部９２ａを備えている。
【００２２】
また、本実施形態では、情報表示入力部９２は、点数マスタ９３に記憶された複数の保険点数情報をタッチパネル９１上の所定の表示位置に表示するように指示する表示指示情報が記憶されたタッチパネルマスタ９４を備えており、表示制御部９２ａは、この表示指示情報に基づきタッチパネル９１上に表示される保険点数情報の表示の態様を保険区分に応じて制御するようになっている。
【００２３】
なお、本実施形態の医事会計処理装置９０における表示制御部９２ａを、保険区分に応じて保険点数情報を画面上に表示し、または表示しないよう制御するように構成してもよい。また、情報表示入力部９２が、複数の表示色を有するタッチパネル９１を備え、表示制御部９２ａが、保険区分に応じて保険点数情報の表示色を制御するように構成してもよい。
【００２４】
さらに、この医事会計処理装置９０には、上記の点数マスタ９３、タッチパネルマスタ９４のほかに、保険情報を記憶する保険情報マスタ９５、会計情報を記憶する会計マスタ９６などが備えられており、これらの各種マスタによりデータベースが構成されている。このデータベースは、ネットワーク８６を介して、患者の受付・照会・登録処理が行われる患者受付処理部９８や医師によるカルテ作成処理などが行われる診察処理部９９などとも接続され、全体として病院総合システムを構成している。
【００２５】
図２は、本実施形態の医事会計処理装置が形成されるコンピュータシステムの概要図である。
【００２６】
図２には、点数マスタ９３（図１参照）などのデータベースが構築されるサーバ８０＿１、およびネットワーク８６を介してサーバ８０＿１に接続された複数の端末装置８０＿２，８０＿３，８０＿４が例示的に示されている。
【００２７】
サーバ８０＿１および端末装置８０＿２，８０＿３，８０＿４を構成するコンピュータシステムは、一般にワークステーションと呼ばれる高速かつ大容量のコンピュータシステム、またはパーソナルコンピュータシステムが用いられる。
【００２８】
サーバ８０＿１および各端末装置８０＿２，８０＿３，８０＿４は、ＣＰＵ、主記憶装置、ハードディスク、通信用ボード等が内蔵された本体部８０ａ，８０ｂ，８０ｃ，８０ｄ、本体部８０ａ，８０ｂ，８０ｃ，８０ｄからの指示により画面上に画像や文字列を表示する表示装置８１ａ，８１ｂ，８１ｃ，８１ｄ、サーバ８０＿１および各端末装置８０＿２，８０＿３，８０＿４に操作者からの指示を入力するためのキーボード８２ａ，８２ｂ，８２ｃ，８２ｄ、および表示画面上の任意の位置を指定することにより、その指定された位置に表示されていたアイコン等に応じた指示を入力するマウス８３ａ，８３ｂ，８３ｃ，８３ｄを備えている。
【００２９】
サーバ８０＿１および各端末装置８０＿２，８０＿３，８０＿４は、全体として本発明にいう医事会計処理装置を形成しており、この医事会計処理装置９０（図１参照）の内部に情報表示入力部９２および会計処理部９７などの機能を含む医事会計処理プログラムが形成される。
【００３０】
また、各端末装置８０＿２，８０＿３，８０＿４にはそれぞれタッチパネル９１が接続されている。このタッチパネル９１は、情報表示入力部９２からの画像信号により画面上に画像や文字列を表示するとともに、操作者の指先又はペンの接触による情報入力を行う。
【００３１】
タッチパネル９１から入力された情報は会計マスタ９６（図１参照）に記憶され、会計処理部９７はその情報に基づき医事会計処理を行うようになっている。
【００３２】
本体部８０ａ，８０ｂ，８０ｃ，８０ｄは、さらに外観上、フレキシブルディスク（図示せず）、ＭＯ（光磁気ディスク）８５が装填されるＦＤ装填口８４ａ，８４ｂ，８４ｃ，８４ｄ、ＭＯ装填口８５ａ，８５ｂ，８５ｃ，８５ｄを有しており、それらの内部には、それらの装填口から装填されたフレキシブルディスクやＭＯをドライブしてアクセスする、フレキシブルディスクドライブユニット、ＭＯドライブユニットも内蔵されている。
【００３３】
次に、上記の医事会計処理装置の動作について説明する。
【００３４】
図３は、本発明の一実施形態におけるタッチパネルの概要図である。
【００３５】
図３に示すように、このタッチパネル９１は端末装置８０＿２，８０＿３，８０＿４（図２参照）に接続され、タッチパネル９１の画面９１ａには、ファンクションキー表示部１０１、テンキー表示部１０２、および保険点数情報表示部１０３が形成されている。
【００３６】
ファンクションキー表示部１０１は、左端のＦ１キーはタッチパネルからの入力終了を指示し、左から２番目のＦ２キーはページ更新を指示するなどのほか、キーボード上のファンクションキーとほぼ同様のファンクション操作をシステムに指示できるようになっている。
【００３７】
テンキー表示部１０２は、保険点数情報を入力する際の受診回数、薬剤等の投与数、何日分かなどの数字情報を入力するように構成されている。
【００３８】
保険点数情報表示部１０３は、複数の格子状のセル１０４に区画されており、各セル１０４の中に所定の保険点数情報の名称、すなわち保険点数情報名９３ｂ（図４参照）が表示され、操作者が特定のセルに接触する接触操作に応じて、接触されたセルに対応する保険点数情報が、タッチパネル９１に接続された端末装置８０＿２，８０＿３，８０＿４に入力されるようになっている。
【００３９】
なお、この保険点数情報表示部１０３はハードウエアの制約から所定の長さの文字列しか表示することができないので、各セルには保険点数情報名９３ｂの文字列の先頭部分のみが表示される。
【００４０】
次に、本実施形態に用いられる点数マスタ、タッチパネルマスタのファイル構造について説明する。
【００４１】
図４は、点数マスタのファイル構造を示す図である。
【００４２】
図４に示すように、この点数マスタ９３には、点数コード９３ａ、保険点数情報名９３ｂ、一般老健区分９３ｃなどの項目が設けられている。
【００４３】
点数コード９３ａは、保険点数情報をコード化して表したものであり、保険点数情報名９３ｂは、保険点数情報の内容を示したものであり、一般老健区分９３ｃは、患者の保険区分を“０（一般・老健共使用）”、“１（老健に算定不可）”、“２（一般に算定不可）”の３種類に区分したものである。
【００４４】
図５は、タッチパネルマスタのファイル構造を示す図である。
【００４５】
図５に示すように、このタッチパネルマスタ９４には、タッチパネル表示位置９４ａ、保険区分９４ｂ、点数コード９４ｃなどの項目が設けられている。
【００４６】
ここで、タッチパネル表示位置９４ａは、保険点数情報をタッチパネル上の所定の表示位置に表示するように指示する８桁の数字からなり、先頭の２桁がブックＮｏ．、次の２桁がページＮｏ．、次の４桁がタッチパネル上のセル位置を示している。
【００４７】
また、保険区分９４ｂは、点数マスタ９３の一般老健区分９３ｃと同じ情報であり、点数コード９４ｃは、点数マスタ９３の点数コード９３ａと同じ情報である。
【００４８】
なお、本実施形態におけるタッチパネル表示位置９４ａは、本発明にいう表示指示情報に相当するものである。
【００４９】
次に、本実施形態の医事会計処理装置の動作について説明する。
【００５０】
図６は、本実施形態の医事会計処理装置の動作を示すメインルーチンのフローチャートである。
【００５１】
図６に示すように、端末装置８０＿２，８０＿３，８０＿４から医事会計処理プログラムが呼び出され（ステップＳ０１）、図７に示す会計処理画面１１０を用いて患者の患者ＩＤが入力され（ステップＳ０２）、その患者ＩＤに対応する保険区分を保険情報マスタ９５（図１作成）から取得する（ステップＳ０３）。
【００５２】
図７は、本実施形態の医事会計処理装置に用いられる会計処理画面を示す図である。
【００５３】
図７に示すように、この会計処理画面１１０には、患者ＩＤが入力される患者ＩＤ入力欄１１０ａ、患者の属する健康保険団体の種類、患者の被保険者との続柄、一部負担金の割合、医療保険制度上の保険区分などからなる患者保険情報が表示される患者保険情報表示欄１１０ｂ、タッチパネルから入力された保険点数情報が表示される保険点数情報表示欄１１０ｃ、およびマスタ入力ボタン１１０ｄが設けられている。
【００５４】
この会計処理画面１１０の患者ＩＤ入力欄１１０ａに、会計処理を行う患者ＩＤを入力すると、その患者ＩＤに対応する患者保険情報が保険情報マスタ９５（図１作成）から読み出され患者保険情報表示欄１１０ｂに表示される。
【００５５】
図８は、本実施形態における一般老健区分を示す図である。
【００５６】
本実施形態では、図８に示すように３つの区分Ｎｏ．“０”、“１”、“２”からなる一般老健区分により処理が行われる。
【００５７】
区分Ｎｏ．“０”は、区分名“一般・老健共使用”を示し、老健区分、すなわち老人保健法に基づく健康保険区分、および一般区分、すなわち上記老健区分以外の健康保険区分のいずれでも医事会計に算定可能であることを意味している。
【００５８】
区分Ｎｏ．“１”は、区分名“老健に算定不可”を示し、老健区分は医事会計に算定不可であり一般区分は医事会計に算定可能であることを意味している。
【００５９】
区分Ｎｏ．“２”は、区分名“一般に算定不可”を示し、一般区分は医事会計に算定不可であり老健区分は医事会計に算定可能であることを意味している。
【００６０】
図６のフローチャートの説明を続ける。
【００６１】
ステップＳ０４では、タッチパネル表示処理サブルーチンが実行される。タッチパネル表示処理の処理内容については図９を参照して後述する。
【００６２】
タッチパネル表示処理サブルーチンが実行されると、タッチパネル９１の保険点数情報表示部１０３（図３参照）の各セル１０４に保険点数情報名９３ｂ（図４参照）が表示される（ステップＳ０５）。操作者による、所望のセルをペン先または指先で接触する接触操作に応じてそのセルに対応する保険点数情報がコンピュータに読み込まれ、会計処理画面１１０（図７参照）の保険点数情報表示欄１１０ｃに表示される（ステップＳ０６）。
【００６３】
タッチパネルに表示されたページ内に、入力したい保険点数情報がない場合はページを切り替え（ステップＳ０７）、ステップＳ０４に戻りステップＳ０４以降の処理が繰り返される。
【００６４】
すべてのページの処理を終了した後、操作者による会計処理画面１１０（図７参照）の確認が行われ、ＯＫの場合は、マウス入力ボタン１１０ｄを押下することにより、保険点数情報表示欄１１０ｃに表示された保険点数情報が会計マスタ９６（図１参照）に入力され（ステップＳ０８）、会計処理部９７（図１参照）による会計処理が行われる。
【００６５】
次に、タッチパネル表示処理について説明する。
【００６６】
図９は、タッチパネル表示処理サブルーチンのフローチャートである。
【００６７】
図９に示すように、先ずタッチパネルに表示する保険点数情報のページＮｏを取得し（ステップＳ１１）、取得したページＮｏの保険点数情報をタッチパネルマスタ９４（図５参照）から読み出す（ステップＳ１２）。なお、ページＮｏの初期値には“１”が設定されており、最初に１ページ目の保険点数情報が表示され、２回目以降にこのサブルーチンが呼び出された時にはそれぞれ次のページＮｏが取得されるようになっている。
【００６８】
次に、ステップＳ１３では、ステップＳ１２で読み出したタッチパネルマスタ９４のデータ数をカウントする。
【００６９】
次に、ステップＳ０３で取得した患者の保険区分が一般区分であるか否かが判定される（ステップＳ１４）。
【００７０】
ステップＳ１４における判定の結果、一般区分である場合にはステップＳ１５に進み、一般区分ではない場合にはステップＳ２１に進む。
【００７１】
ステップＳ１５では、取得したタッチパネルマスタ９４の保険区分９４ｂ（図５参照）を参照し、次に、ステップＳ１６において、タッチパネルへの表示が可能か否かを判定する。この判定には図１０に示す表示判定パターンが使用される。
【００７２】
図１０は、タッチパネル表示処理における表示判定パターンを示す図である。
【００７３】
図１０に示すように、パターン１、すなわち患者保険が一般区分もしくは老健区分であり、タッチパネルマスタの保険区分９４ｂ（図５参照）が“一般・老健共使用（０）”である場合には表示可能と判定され、パターン２、すなわち患者保険が一般区分であり、タッチパネルマスタの保険区分９４ｂ（図５参照）が“老健に算定不可（１）”である場合には表示可能と判定され、パターン３、すなわち患者保険が老健区分であり、タッチパネルマスタの保険区分９４ｂ（図５参照）が“一般に算定不可（２）”である場合には表示可能と判定し、この３パターン以外は表示不可と判定される。
【００７４】
図９のフローチャートに戻り、ステップＳ１６における判定の結果、図１０に示した３つの表示判定パターンのうちのいずれか１つに該当する場合には該当する保険点数情報名９３ｂ（図４参照）を、タッチパネルマスタ９４のタッチパネル表示位置９４ａ（図５参照）で指定されたタッチパネル９１上のセル１０４（図３参照）に表示し（ステップＳ１７）、次にステップＳ１８に進む。
【００７５】
ステップＳ１６における判定の結果、上記３パターン以外の場合にはタッチパネルへの表示処理は行わず（ステップＳ１９）、ステップＳ１８に進む。
【００７６】
ステップＳ１８では、タッチパネルマスタのデータ数をカウントし、そのカウント数と表示処理回数とが一致したか否かが判定される。
【００７７】
ステップＳ１８における判定の結果、一致した場合には表示処理を終了し、図６に示したメインルーチンに戻りステップＳ０５以降の処理が続けられる。
【００７８】
ステップＳ１８における判定の結果、一致していない場合にはステップＳ１５に戻りステップＳ１５以降の処理が続けられる。
【００７９】
一方、ステップＳ１４における判定の結果、一般区分ではないと判定された場合にはステップＳ２１において、患者の保険区分が老健区分であるか否かが判定される。
【００８０】
ステップＳ２１における判定の結果、老健区分である場合にはステップＳ２３に進み、老健区分区分ではない場合にはエラー表示を行い処理を終了する。
【００８１】
ステップＳ２３では、取得したタッチパネルマスタ９４の保険区分９４ｂ（図５参照）を参照し、次に、ステップＳ２４において、タッチパネルへの表示が可能か否かを判定する。この判定には図１０に示した表示判定パターンが使用される。
【００８２】
ステップＳ２４における判定の結果、図１０に示した３つの表示判定パターンのうちのいずれか１つに該当する場合には該当する保険点数情報名９３ｂ（図４参照）を、タッチパネルマスタ９４のタッチパネル表示位置９４ａ（図５参照）で指定されたタッチパネル９１上のセル１０４（図３参照）に表示し（ステップＳ２５）、次にステップＳ２６に進む。
【００８３】
ステップＳ２４における判定の結果、上記３パターン以外の場合にはタッチパネルへの表示処理は行わず（ステップＳ２７）、ステップＳ２６に進む。
【００８４】
ステップＳ２６では、タッチパネルマスタのデータ数をカウントし、そのカウント数と表示処理回数とが一致したか否かが判定される。
【００８５】
ステップＳ２６における判定の結果、一致した場合には表示処理を終了し、図６に示したメインルーチンに戻りステップＳ０５以降の処理が続けられる。
【００８６】
ステップＳ２６における判定の結果、一致していない場合にはステップＳ２３に戻りステップＳ２３以降の処理が続けられる。
【００８７】
図１１は、本実施形態のタッチパネル上に表示された画面の一例を示す図である。
【００８８】
図１１には、患者保険区分が「一般」である場合のタッチパネル上の表示画面が示されている。図１１に示すように、この画面には、「一般・老健共使用」区分および「一般」区分に属する保険点数情報名９３ｂ（図４参照）の文字列の先頭部分が表示され、「老健」区分に属する保険点数情報名９３ｂ（図４参照）は表示されない。
【００８９】
図１２は、本実施形態のタッチパネル上に表示された画面の他の例を示す図である。
【００９０】
図１２には、患者保険区分が「老健」である場合のタッチパネル上の表示画面が示されている。図１２に示すように、この画面には、「一般・老健共使用」区分および「老健」区分に属する保険点数情報名９３ｂ（図４参照）の文字列の先頭部分が表示され、「一般」区分に属する保険点数情報名９３ｂ（図４参照）は表示されない。
【００９１】
この図１１および図１２に示した通りの保険点数情報名に対応する保険点数情報が、図６に示したフローチャートにおけるステップＳ０６において、情報表示入力部９２（図１参照）により、タッチパネル９１から会計マスタ９６（図１参照）に入力される。
【００９２】
こうして会計マスタ９６に入力された保険点数情報に基づき、会計処理部９７（図１参照）による会計処理が行われる。
【００９３】
以上のように、本実施形態の医事会計処理装置では、タッチパネル１ページ当たりの保険点数情報表示数を大幅に増加させることができ、かつ、必要のない保険点数情報は表示されないので誤入力を未然に防止することができる。
【００９４】
なお、上記実施形態では、保険区分に応じて保険点数情報の表示／非表示を制御する場合の態様を示したが、本発明は、この態様に限られるものではなく、複数の表示色を有するタッチパネルを備えることにより、保険区分に応じて保険点数情報の表示色を制御するようにしてもよい。
【００９５】
以下に本発明の各種態様を付記する。
【００９６】
（付記１）
診療内容に対応付けられた保険点数情報が複数記憶された点数マスタと、該点数マスタに記憶された複数の保険点数情報をタッチパネル上に表示するとともに、該タッチパネル上に表示された複数の保険点数情報のうちの一つの保険点数情報が表示された部分に接触する接触操作に応じて、該接触された部分に対応する保険点数情報を入力する情報表示入力部とを有し、該情報表示入力部により入力された保険点数情報に基づき会計処理を行う医事会計処理装置において、
前記保険点数情報は、医療保険制度による一般区分および老健区分の２つの保険区分に基づいて設定されたものであり、
前記情報表示入力部は、前記保険点数情報を、前記保険区分に応じて表示するように制御する表示制御部を備えたことを特徴とする医事会計処理装置。
【００９７】
（付記２）
前記情報表示入力部は、前記複数の保険点数情報を前記タッチパネル上の所定の表示位置に表示するように指示する表示指示情報が記憶されたタッチパネルマスタを備え、
前記表示制御部は、前記表示指示情報に基づき前記タッチパネル上に表示される保険点数情報の表示の態様を前記保険区分に応じて制御するものであることを特徴とする付記１記載の医事会計処理装置。
【００９８】
（付記３）
前記表示制御部は、前記保険区分に応じて保険点数情報の表示／非表示を制御するものであることを特徴とする付記２記載の医事会計処理装置。
【００９９】
（付記４）
前記情報表示入力部は、複数の表示色を有するタッチパネルを備え、
前記表示制御部は、前記保険区分に応じて保険点数情報の表示色を制御するものであることを特徴とする付記２記載の医事会計処理装置。
【図面の簡単な説明】
【０１００】
【図１】本発明の医事会計処理装置の一実施形態を示す概略構成図である。
【図２】本実施形態の医事会計処理装置が形成されるコンピュータシステムの概要図である。
【図３】本発明の一実施形態におけるタッチパネルの概要図である。
【図４】点数マスタのファイル構造を示す図である。
【図５】タッチパネルマスタのファイル構造を示す図である。
【図６】本実施形態の医事会計処理装置の動作を示すメインルーチンのフローチャートである。
【図７】本実施形態の医事会計処理装置に用いられる会計処理画面を示す図である。
【図８】本実施形態における一般老健区分を示す図である。
【図９】タッチパネル表示処理サブルーチンのフローチャートである。
【図１０】タッチパネル表示処理における表示判定パターンを示す図である。
【図１１】本実施形態のタッチパネル上に表示された画面の一例を示す図である。
【図１２】本実施形態のタッチパネル上に表示された画面の他の例を示す図である。
【符号の説明】
【０１０１】
８０＿１    サーバ
８０＿２，８０＿３，８０＿４    端末装置
８０ａ，８０ｂ，８０ｃ，８０ｄ    本体部
８１ａ，８１ｂ，８１ｃ，８１ｄ    表示装置
８２ａ，８２ｂ，８２ｃ，８２ｄ    キーボード
８３ａ，８３ｂ，８３ｃ，８３ｄ    マウス
８４ａ，８４ｂ，８４ｃ，８４ｄ    ＦＤ装填口
８５ａ，８５ｂ，８５ｃ，８５ｄ    ＭＯ装填口
８６    ネットワーク
９０    医事会計処理装置
９１    タッチパネル
９１ａ    画面
９２    情報表示入力部
９２ａ    表示制御部
９３    点数マスタ
９３ａ    点数コード
９３ｂ    保険点数情報名
９３ｃ    一般老健区分
９４    タッチパネルマスタ
９４ａ    タッチパネル表示位置
９４ｂ    保険区分
９４ｃ    点数コード
９５    保険情報マスタ
９６    会計マスタ
９７    会計処理部
９８    患者受付処理部
９９    診察処理部
１０１    ファンクションキー表示部
１０２    テンキー表示部
１０３    保険点数情報表示部
１０４    セル
１１０    会計処理画面
１１０ａ    患者ＩＤ入力欄
１１０ｂ    患者保険情報表示欄
１１０ｃ    保険点数情報表示欄
１１０ｄ    マスタ入力ボタン
【図１】
2005346445.tif 000003
【図２】
2005346445.tif 000004
【図３】
2005346445.tif 000005
【図４】
2005346445.tif 000006
【図５】
2005346445.tif 000007
【図６】
2005346445.tif 000008
【図７】
2005346445.tif 000009
【図８】
2005346445.tif 000010
【図９】
2005346445.tif 000011
【図１０】
2005346445.tif 000012
【図１１】
2005346445.tif 000013
【図１２】
2005346445.tif 000014